(57)【要約】【課題】  Ｕ字形発光管を液晶モジュールのリアフレームなどに容易に無理なく取り付けられるようにするために、コネクタからその後方へ引き出されてＵ字形発光管の電極に接続される２本のリード線を、コネクタ自体の機能によって後拡がりに保形する。【解決手段】  コネクタ１０の左右２箇所のリード線挿通孔部１３を、電極収納孔部１２に対し傾斜させて形成する。他の例として、コネクタ１０に、電極収納孔部１２に対して傾斜したリード線挿通孔部１３と、電極収納孔部１２にまっすぐに連通する差込み孔部１５とを設ける。差込み孔部１５は、リード線５０をコネクタ１０に差し込むことに利用する。【選択図】        図２
2009266447.tif 000002
【特許請求の範囲】
【請求項１】
Ｕ字形発光管と、このＵ字形発光管の２つの端部電極に個別に接続された２本のリード線が後方へ引き出されているコネクタとを備え、上記コネクタが、上記リード線の端部に具備された電極を収納する左右２箇所の平行な電極収納孔部と、それらの電極収納孔部に各別に連通して２本の上記リード線が個別に挿通された左右２箇所のリード線挿通孔部とを有するＵ字形発光管装置において、
コネクタの左右２箇所に具備されている上記リード線挿通孔部を上記電極収納孔部に対し傾斜させて形成することにより、それらのリード線挿通孔部に、２本の上記リード線の引出し方向が後拡がりになるように保形する機能を付与してあることを特徴とするＵ字形発光管装置。
【請求項２】
上記コネクタに、左右２箇所の上記電極収納孔部のそれぞれに直線状に連通して後方へ延びるリード線の差込み孔部と、同一の上記電極収納孔部に連通されている上記差込み孔部と上記リード線挿通孔部とを当該コネクタの左右方向で連通させる隙間空間と、上記差込み孔部と上記リード挿通孔部との相互間に位置して上記隙間空間の広さを上記リード線の太さより狭くする凸部とが追加されていて、
上記凸部によって狭められた上記隙間空間内の狭小部は、上記差込み孔部に差し込んだリード線を、上記凸部を乗り越えさせて上記リード線挿通孔部に移動させることのできる広さを有し、かつ、上記凸部が、上記リード線挿通孔部に移動したリード線をそのリード線挿通孔部に位置決めすることのできる高さを有している請求項１に記載したＵ字形発光管装置。
【請求項３】
上記コネクタに、左右２箇所の上記電極収納孔部のそれぞれに直線状に連通して後方へ延びるリード線の差込み孔部と、同一の上記電極収納孔部に連通されている上記差込み孔部と上記リード線挿通孔部とを当該コネクタの左右方向で連通させる隙間空間が追加されていて、
上記隙間空間の開放口が上記コネクタの後端面で開口していると共に、上記コネクタの後端面で開口する上記差込み孔部の差込み口と隙間空間の上記開放口とを塞ぐ蓋体を有し、その蓋体で上記差込み口と開放口とを塞ぐことによって、上記差込み口に差し込まれたリード線が上記蓋体により押されてその差込み口からリード線挿通孔部に移動してその蓋体により位置決めされるように構成されている請求項１に記載したＵ字形発光管装置。
【発明の詳細な説明】
【技術分野】
【０００１】
本発明は、Ｕ字形発光管装置、特に、冷陰極線管のようなＵ字形発光管の２つの端部電極に、コネクタからその後方へ引き出された２本のリード線が接続されているＵ字形発光管装置に関する。
【背景技術】
【０００２】
この種のＵ字形発光管装置は、テレビジョン受像機などにおいて液晶モジュールのバックライトなどに用いられている。そして、サイズの大きな液晶モジュールのバックライトに用いられるＵ字形発光管装置のＵ字形発光管には太さの割に長さの長いもの用いられるため、Ｕ字形発光管は、それ自体が外力を受けて、当該Ｕ字形発光管の左右のストレート管部を連通させている転向部分を介して左右の上記ストレート管部がねじれ変形を起こしたり、開き方向又は閉じ方向の変形を起こしたりしやすいことがわかっている。また、それらの変形量が限度を越えると、Ｕ字形発光管が破損することもわかっている。
【０００３】
また、Ｕ字形発光管装置のコネクタには、Ｕ字形発光管の２つの端部電極に個別に接続された２本のリード線が設けられていて、それらのリード線が当該コネクタの後端面の左右２箇所から後方へ引き出されている。
【０００４】
図１０には従来例としてのＵ字形発光管装置に用いられているコネクタを示した平面図である。また、図１１は従来例としてのＵ字形発光管装置の問題点を説明するための一部省略平面図であり、図１２は従来例の問題点を説明するための説明図である。
【０００５】
図１０のように、コネクタ１０は樹脂成形体でなり、リード線５０の端部に具備された電極５１を収納する左右２箇所の平行な電極収納孔部１２，１２と、それらの電極収納孔部１２，１２に各別に連通して２本の上記リード線５０，５０が個別に挿通された左右２箇所のリード線挿通孔部１３，１３とを有している。そして、個々のリード線挿通孔部１３は、それが連通している電極収納孔部１２に直線状に連通している。そのため、２本のリード線５０，５０は平行な状態でコネクタ１０の後方へ引き出されている。
【０００６】
図１１のように、Ｕ字形発光管７０は、２条のストレート管部７１，７１同士が転向部分７２によって連通されている。また、Ｕ字形発光管７０には２つの端部電極が備わっている。そして、これらの端部電極と上記したコネクタ１０から引き出されている２本のリード線５０，５０とが半田付け接続されている。符号５２は、Ｕ字形発光管７０には端部電極とリード線５０との半田付けによる接続部を示している。
【０００７】
図１１によって判るように、コネクタ１０から後方へ引き出されている２本のリード線５０，５０の相互間隔は、自然状態では、Ｕ字形発光管７０には２つの端部電極の相互間隔よりも著しく狭くなっている。それに加えて、テレビジョン受像機などの液晶モジュールのバックライトに用いられるＵ字形発光管装置では、そのコストダウンを図るためにコネクタから引き出される２本のリード線の長さを極限にまで短くすることが試みられている。そのため、図１１に見られるように、Ｕ字形発光管７０の２つの端部電極に上記接続部５２，５２を介して接続された２本のリード線５０は、緩みのほとんど存在しない状態でコネクタ１０から後拡がりに引き出されることがある。
【０００８】
一方、従来より、液晶表示装置の分野では、リード線の必要長を短縮してコストダウンを図ることを目的として、Ｕ字形発光管の端部電極からのリード線の引出し方向に工夫を講じることが行われている（たとえば、特許文献１参照）。また、ディスプレイのバックライトトなどに利用される蛍光ランプにあっては、２本のリード線が引き出されているコネクタに関して、リード線の導出根元部分を接着剤で補強することが知られている（たとえば、特許文献２参照）。そして、この特許文献２には、接着剤で補強されているリード線の導出根元部分が、その接着剤によって後拡がりに保形されていることが示唆されている。そのほか、直下式バックライト装置のリード線の短絡などを防止するために、ランプホルダーに設けたゴムブロックによって相隣接するリード線を離間させることも知られている（たとえば、特許文献３参照）。
【特許文献１】特開２００６−３３０１６２号公報
【特許文献２】実開平２−３９４４７号公報
【特許文献３】特開２００６−２５３１１６号公報
【発明の開示】
【発明が解決しようとする課題】
【０００９】
しかしながら、図１０を参照して説明したように、コネクタ１０の左右２箇所のリード線挿通孔部１３，１３が電極収納孔部１２に直線状に連通して平行になっているにもかかわらず、図１１のようにコネクタ１０から引き出された２本のリード線５０，５０が、緩みのほとんど存在しない状態でコネクタ１０から後拡がりに引き出されてＵ字形発光管の２つの端部電極に接続されていると、同図に仮想線で示したように、２本のリード線５０，５０に備わっている初期位置への復帰力によってＵ字形発光管７０の２本のストレート管部７１，７１が閉じる方向に引張られて変形することがある。また、半田付けによる接続部５２で、リード線５０がＵ字形発光管７０の端部電極に斜めに接続されてしまってその接続部５２に無理な力が加わったままになり、図１２に矢印Ｎで示したように左右のストレート管部７１，７１に対してコネクタ１０がねじれていたり、あるいは、コネクタ１０に対して左右のストレート管部７１，７１がねじれ変形を起こしていたりすることがある。そして、これらの変形やねじれが存在していると、Ｕ字形発光管７０を液晶モジュールのリアフレーム（不図示）やパネルポストに取り付けるための取付け作業を行いにくくなったり、場合によっては、取付け作業中に無理な力がＵ字形発光管７０に加えられてそのＵ字形発光管７０が割れてしまったりすることがあるという問題がある。
【００１０】
この点に関し、上掲の特許文献２によって示唆されているように、接着剤で補強されている２本のリード線の導出根元部分をその接着剤によって後拡がりに保形しておくと、コネクタの内部での２本のリード線の相互間隔が、Ｕ字形発光管の２つの端部電極の相互間隔に比べて著しく狭くても、２本のリード線の半田付けされる端部の間隔が拡がるために、上記した変形やねじれの発生を抑制することが可能になるとも考えられる。
【００１１】
しかしながら、コネクタに接着剤を塗布して２本のリード線の導出根元部分を後拡がりに保形するためには、接着剤の塗布作業が面倒で煩わしいために熟練を要し、そのためにコネクタの組立てコストが却って高くついてしまい、リード線を可及的短くしてコストダウンを図るという意味が薄れてしまうことになる。
【００１２】
本発明は以上の問題や状況に鑑みてなされたものであり、コネクタの組立てのために面倒で煩わしい接着剤塗布作業を必要としないにもかかわらず、コネクタからその後方へ引き出された２本のリード線を後拡がりに保形することが可能になる対策を講じることによって、それらのリード線をＵ字形発光管の２つの端部電極に接続した場合に、図１１で説明したような左右のストレート管部７１，７１の閉じ変形や、図１２で説明してような左右のストレート管部７１，７１のねじれ変形が生じることを効果的に抑制することのできるＵ字形発光管装置を提供することを目的としている。
【課題を解決するための手段】
【００１３】
本発明に係るＵ字形発光管装置は、Ｕ字形発光管と、このＵ字形発光管の２つの端部電極に個別に接続された２本のリード線が後方へ引き出されているコネクタとを備え、上記コネクタが、上記リード線の端部に具備された電極を収納する左右２箇所の平行な電極収納孔部と、それらの電極収納孔部に各別に連通して２本の上記リード線が個別に挿通された左右２箇所のリード線挿通孔部とを有する。そして、コネクタの左右２箇所に具備されている上記リード線挿通孔部を上記電極収納孔部に対し傾斜させて形成することにより、それらのリード線挿通孔部に、２本の上記リード線の引出し方向が後拡がりになるように保形する機能を付与してある。
【００１４】
この構成を備えるＵ字形発光管装置では、コネクタの左右２箇所の電極収納孔部が平行になっている。これに対し、Ｕ字形発光管装置のコネクタを差込み接続するための相手方コネクタは一般的に左右２箇所に平行な電極が組み付けられた構成になっている。そのため、上記構成のＵ字形発光管装置のコネクタは、一般的な構成を備える上記相手方コネクタに対して差込み接続可能であって、そのために、コネクタを差込み接続する対象である相手方コネクタの構成を変更する必要がない。
【００１５】
それにもかかわらず、このＵ字形発光管装置のコネクタでは、電極収納孔部に各別に連通している左右２箇所のリード線挿通孔部が、２本の上記リード線の引出し方向を後拡がりになるように保形する機能を備えているので、特許文献２に記載されているような接着剤でリード線の引出し方向を規制するという構成を採用せずに、コネクタから引き出される２本のリード線を外拡がりに保形しておくことが可能である。そのため、２本のリード線をＵ字形発光管の２つの端部電極に接続した場合に、Ｕ字形発光管の左右のストレート管部の閉じ変形や、コネクタないし左右のストレート管部のねじれ変形が生じることが抑制されて、Ｕ字形発光管を液晶モジュールのリアフレームやパネルポストに取り付けるための取付け作業を容易にかつ無理なく行うことができるようになる。また、取付け作業中に無理な力がＵ字形発光管に加えられてそのＵ字形発光管７０が割れてしまうという事態が起こることも未然に防止されるようになる。
【００１６】
本発明では、上記コネクタに、左右２箇所の上記電極収納孔部のそれぞれに直線状に連通して後方へ延びるリード線の差込み孔部と、同一の上記電極収納孔部に連通されている上記差込み孔部と上記リード線挿通孔部とを当該コネクタの左右方向で連通させる隙間空間と、上記差込み孔部と上記リード挿通孔部との相互間に位置して上記隙間空間の広さを上記リード線の太さより狭くする凸部とが追加されていて、上記凸部によって狭められた上記隙間空間内の狭小部は、上記差込み孔部に差し込んだリード線を、上記凸部を乗り越えさせて上記リード線挿通孔部に移動させることのできる広さを有し、かつ、上記凸部が、上記リード線挿通孔部に移動したリード線をそのリード線挿通孔部に位置決めすることのできる高さを有している、という構成を採用することが可能である。
【００１７】
この構成であると、コネクタに設けられているリード線の差込み孔部がそのコネクタの電極収納孔部に直線状に連通して後方へ延びているので、コネクタの電極収納孔部にリード線の電極を収納させる作業を行うときに、その差込み孔部を経て電極収納孔部にリード線をまっすぐに差し込むことが可能である。そして、差込み後にリード線を横にずらしてリード線挿通孔部に移動させるという作業を行うだけで、２本のリード線の引出し方向を後拡がりに保形させることか可能になる。このため、リード線の先端部に電極金具が装着されている場合であっも、リード線を容易にかつ無理なく後拡がりに保形した状態にコネクタに組み付けることが可能になる。
【００１８】
本発明では、上記コネクタに、左右２箇所の上記電極収納孔部のそれぞれに直線状に連通して後方へ延びるリード線の差込み孔部と、同一の上記電極収納孔部に連通されている上記差込み孔部と上記リード線挿通孔部とを当該コネクタの左右方向で連通させる隙間空間が追加されていて、上記隙間空間の開放口が上記コネクタの後端面で開口していると共に、上記コネクタの後端面で開口する上記差込み孔部の差込み口と隙間空間の上記開放口とを塞ぐ蓋体を有し、その蓋体で上記差込み口と開放口とを塞ぐことによって、上記差込み口に差し込まれたリード線が上記蓋体により押されてその差込み口からリード線挿通孔部に移動してその蓋体により位置決めされるように構成されているものであってもよい。
【００１９】
この構成であると、コネクタの電極収納孔部に直線状に連通しているリード線の差込み孔部を利用してリード線をまっすぐに電極収納孔部に差し込み、その後に蓋体を閉じて差込み孔部の差込み口と隙間空間の開放口とを塞ぐだけで、リード線が蓋体により押されて上記差込み口からリード線挿通孔部に移動してその蓋体により位置決めされる。このため、リード線の先端部に電極金具が装着されている場合であっも、リード線を容易にかつ無理なくコネクタに後拡がりに保形した状態に組み付けることが可能になる。
【発明の効果】
【００２０】
以上のように、本発明によれば、コネクタの組立てのために面倒で煩わしい接着剤塗布作業を必要としないにもかかわらず、コネクタからその後方へ引き出された２本のリード線が後拡がりに保形されるようになる。そのため、それらのリード線をＵ字形発光管の２つの端部電極に接続した場合に、図１１で説明したような左右のストレート管部の閉じ変形や、コネクタないし左右のストレート管部のねじれ変形が生じることが効果的に抑制される。その結果、Ｕ字形発光管を液晶モジュールのリアフレームやパネルポストに取り付けるための取付け作業を容易にかつ無理なく行うことができるようになる。また、取付け作業中に無理な力がＵ字形発光管に加えられてそのＵ字形発光管が割れてしまうという事態が起こることも未然に防止されるようになる。
【発明を実施するための最良の形態】
【００２１】
図１は本発明の実施形態に係るＵ字形発光管装置に用いられて２本のリード線が組み付けられているコネクタの平面図、図２は図１の要部を拡大して示した部分横断平面図、図３は同コネクタの要部の縦断側面図、図４は同コネクタを採用したＵ字形発光管装置の一部省略平面図である。
【００２２】
図１〜図４に示したコネクタ１０は樹脂成形体でなる。図１又は図２のように、コネクタ１０には、左右２箇所の平行な電極収納孔部１２，１２と、それらの電極収納孔部１２，１２に連通している左右２箇所のリード線挿通孔部１３，１３とが備わっている。そして、それぞれのリード線挿通孔部１３を利用してリード線５０が差し込まれて、そのリード線５０の先端の電極、具体的にはリード線５０の先端に装着されている電極金具によって形成されている電極５１が電極収納孔部１２に収納されている。また、図３のように、電極５１を形成している電極金具には爪片５３が備わっていて、この爪片５３が、コネクタ１０に形成されている係合面１４に係合することによって、コネクタ１０からのリード線５０の抜け出しが防止されている。
【００２３】
この実施形態において、コネクタ１０の左右２箇所のリード線挿通孔部１３，１３のそれぞれには、それらの２本のリード線５０，５０のコネクタ１０からの引出し方向が後拡がりになるように保形する機能を付与してある。
【００２４】
上記の保形機能を付与する手段として、この実施形態では、図２に示したように、リード線挿通孔部１３，１３を、その開口端の近傍箇所で左右方向外側へ向けて傾斜させた傾斜孔部１４を具備させてある。そして、リード線挿通孔部１３に挿通されているリード線５０に傾斜孔部１４の後壁を当接させることによって、コネクタ１０の後方へ引き出されているリード線５０を左右方向外側に向けて傾斜させるように構成してある。
【００２５】
以上説明した構成のコネクタ１０によると、上記した傾斜孔部１４を備えるリード線挿通孔部１３によって発揮されるリード線保形作用によって、左右２本のリード線５０，５０が図１のように後拡がりに傾斜した姿勢に保形されている。
【００２６】
このように左右２本のリード線５０，５０が後拡がりに保形されていると、図４のようにＵ字形発光管７０の２つの端部電極に、コネクタ１０から引き出されている２本のリード線５０，５０を短くしてそれらに緩みを持たせずに半田付け接続しても、２本のリード線５０，５０の半田付けされる端部の間隔がもともと広くなっているために、リード線５０に備わっている初期位置への復帰力によってＵ字形発光管７０のストレート管部７１が閉じる方向に引張られて変形するという事態が抑制される。また、リード線５０，５０の端部の間隔がもともと広くなっていることにより、それらのリード線５０，５０の端部をＵ字形発光管７０の２つの端部電極に半田付けするときに、半田付けによる接続部５２で、リード線５０がＵ字形発光管７０の端部電極に斜めに接続されてしまうという事態も起こりにくくなる。その結果、接続部５２に無理な力が加わったままになるという事態も起こりにくくなり、左右のストレート管部７１，７１に対してコネクタ１０がねじれていたり、あるいは、コネクタ１０に対して左右のストレート管部７１，７１がねじれ変形を起こしていたりするという事態が起こることも抑制される。
【００２７】
上記したコネクタ１０において、左右２本のリード線５０，５０の端部の間隔は、それらのリード線５０，５０の拡がり角度を大きくすると広くなり、拡がり角度を小さくすると狭くなる。そのため、コネクタ１０のリード線挿通孔部１３に備わっている傾斜孔部１４の傾斜角度を変更することにより２本のリード線５０，５０の端部の間隔を所望の広さに調節することが可能である。このことを利用すると、２本のリード線５０，５０の端部の間隔をＵ字形発光管７０の２つの端部電極の相互間隔に合わせることが可能になり、そうすることによって、Ｕ字形発光管７０のストレート管部７１に負荷が加わらないようにリード線５０の端部をＵ字形発光管７０の端部電極に半田付けすることも可能である。
【００２８】
ところで、図１などを参照して説明した上記実施形態では、コネクタ１０の左右２箇所のリード線挿通孔部１３のそれぞれに傾斜孔部１４を具備させることによって、２本のリード線５０，５０を後拡がりになるように保形する機能を付与してある。しかし、この構成を採用すると、リード線５０をコネクタ１０に組み付けるときに、リード線５０を傾斜孔部１４を経てリード線挿通孔部１３に挿通させ、さらに、電極収納孔部１２に挿入する必要がある。そのため、リード線５０の先端の電極５１が、上記したように電極金具によって構成されていると、リード線５０を曲げながらリード線挿通孔部１３や電極収納孔部１２に挿入する必要が生じてその組付け作業を行いにくい場合がある。そこで、この点を改善したコネクタを次に説明する。
【００２９】
図５は他の実施形態に係るＵ字形発光管装置に用いられるコネクタの背面図、図６は図５のＶＩ−ＶＩ線に沿う部分を拡大して示した一部破断平面図である。
【００３０】
図５又は図６に示したように、このコネクタ１０では、１つの電極収納孔部１２にリード線挿通孔部１３とリード線差込み孔部１５とが連通していて、リード線挿通孔部１３が電極収納孔部１２に対して左右方向外側に向けて傾斜しているのに対し、リード線差込み孔部１５が電極収納孔部１２に直線状に連通してその後方へ延びている。また、リード線差込み孔部１５とリード線挿通孔部１３とを左右方向で連通させる隙間空間１６がコネクタ１０に形成されていて、その隙間空間１６の広さが、リード線差込み孔部１５とリード挿通孔部１３との相互間に位置する凸部１７によってその凸部１６の形成箇所で狭められいている。凸部１７によって狭められている隙間空間１６内の狭小部１６ａは、リード線差込み孔部１５に差し込んだリード線５０を、図５矢印Ｘのように凸部１７を乗り越えさせてリード線挿通孔部１３に移動させることのできる広さに定められている。併せて、凸部１７には、リード線挿通孔部１３に移動したリード線５０をそのリード線挿通孔部１３に位置決めすることのできる高さが付与されている。そして、コネクタ１０には、電極収納孔部１２とリード線挿通孔部１３とリード線差込み孔部１５とが左右２箇所に対称に形成されている。
【００３１】
このコネクタ１０にリード線５０をコネクタ１０に組み付けるときには、図６矢印Ｙのようにリード線差込み孔部１５を経てリード線５０をまっすぐに差し込んでその電極５１を電極収納孔部１２に挿入した後、同図矢印Ｘのようにリード線５０を横にずらせ、凸部１７を乗り越えさせてリード線挿通孔部１３に移動させるという作業を行う。この作業を２本のリード線５０，５０に対して行うと、それらの２本のリード線５０，５０が後拡がりに拡がった状態でコネクタ１０に組み付けられる。したがって、図１などを参照して説明した場合よりも、コネクタ１０に対する２本のリード線５０，５０の組付け作業性が向上する。ここで説明したコネクタ１０では、図１〜図４を参照して説明したコネクタ１０に対して、リード線５０の組付け作業性が改善されるという作用ないし効果が奏される。その他の作用ないし効果は、図１〜図４を参照して説明したコネクタ１０について説明したところと同様である。
【００３２】
図７はさらに他の実施形態に係るＵ字形発光管装置に用いられるコネクタの背面図、図８は図７のＶＩＩＩ−ＶＩＩＩ線に沿う部分を拡大して示した一部破断側面図、図９は図７のＩＸ−ＩＸ線に沿う部分を拡大して示した部分横断平面図である。
【００３３】
図７〜図９に示したように、このコネクタ１０にあっても、１つの電極収納孔部１２にリード線挿通孔部１３とリード線差込み孔部１５とが連通していて、リード線挿通孔部１３が電極収納孔部１２に対して左右方向外側に向けて傾斜しているのに対し、リード線差込み孔部１５が電極収納孔部１２に直線状に連通してその後方へ延びている。また、リード線差込み孔部１５とリード線挿通孔部１３とを左右方向で連通させる隙間空間１６がコネクタ１０に形成されている。さらに、隙間空間１６の開放口１６ｂがコネクタ１０の後端面で開口している。そして、コネクタ１０の後端に樹脂ヒンジ１９を介して蓋体１８が設けられている。この蓋体１８は、閉時に、コネクタ１０の後端面で開口する差込み孔部１５の差込み口１５ａと隙間空間１６の開放口１６ｂとを塞ぐようになっている。コネクタ１０には、電極収納孔部１２とリード線挿通孔部１３とリード線差込み孔部１５とが左右２箇所に対称に形成されている。
【００３４】
この構成であると、コネクタ１０にリード線５０を組み付けるときに、図７又は図９のように蓋体１８を閉じて、その蓋体１８で差込み口１５ａと開放口１６ｂとを塞ぐと、先に差込み口１５ａに差し込まれているリード線５０が蓋体１８により左右方向外側へ押されてその差込み口１５ａからリード線挿通孔部１３に移動し、移動後は、蓋体１８により位置決めされる。したがって、図１などを参照して説明した場合よりも、コネクタ１０に対する２本のリード線５０，５０の組付け作業性が向上する。ここで説明したコネクタ１０では、図１〜図４を参照して説明したコネクタ１０に対して、リード線５０の組付け作業性が改善されるという作用ないし効果が奏される。その他の作用ないし効果は、図１〜図４を参照して説明したコネクタ１０について説明したところと同様である。
【００３５】
なお、図１〜図１２では同一又は相応する要素に同一符号を付してある。
【図面の簡単な説明】
【００３６】
【図１】本発明の実施形態に係るＵ字形発光管装置に用いられるコネクタの平面図である。
【図２】図１の要部を拡大して示した部分横断平面図である。
【図３】図１のコネクタの要部の縦断側面図である。
【図４】図１のコネクタを採用したＵ字形発光管装置の一部省略平面図である。
【図５】他の実施形態に係るＵ字形発光管装置に用いられるコネクタの背面図である。
【図６】図５のＶＩ−ＶＩ線に沿う部分を拡大して示した一部破断平面図である。
【図７】さらに他の実施形態に係るＵ字形発光管装置に用いられるコネクタの背面図である。
【図８】図７のＶＩＩＩ−ＶＩＩＩ線に沿う部分を拡大して示した一部破断側面図である。
【図９】図７のＩＸ−ＩＸ線に沿う部分を拡大して示した部分横断平面図である。
【図１０】従来例としてのＵ字形発光管装置に用いられているコネクタを示した平面図である。
【図１１】従来例としてのＵ字形発光管装置の問題点を説明するための一部省略平面図である。
【図１２】従来例の他の問題点を説明するための説明図である。
【符号の説明】
【００３７】
１０  コネクタ
１２  電極収納孔部
１３  リード線挿通孔部
１５  リード線差込み孔部
１５ａ  差込み口
１６  隙間空間
１６ａ  隙間空間内の狭小部
１６ｂ  隙間空間の開放口
１７  凸部
１８  蓋体
５０  リード線
５１  電極
７０  Ｕ字形発光管
【図１】
2009266447.tif 000003
【図２】
2009266447.tif 000004
【図３】
2009266447.tif 000005
【図４】
2009266447.tif 000006
【図５】
2009266447.tif 000007
【図６】
2009266447.tif 000008
【図７】
2009266447.tif 000009
【図８】
2009266447.tif 000010
【図９】
2009266447.tif 000011
【図１０】
2009266447.tif 000012
【図１１】
2009266447.tif 000013
【図１２】
2009266447.tif 000014